(57)【要約】      （修正有）【課題】一枚ものの文書をミウラ折り形状に折り畳むことを容易にするガイドマークのしるした用紙、および、用紙に該ガイドマークを記入するためのテンプレートを提供する。【解決手段】長方形の紙面を紙面と等幅の細長い長方形に折り畳まれた状態を短冊と呼び、該短冊を所定のオフセット角をつけて折り返す際に元の短冊に重ねられた１つの頂点が乗る位置にガイドマークＱを、折り返した短冊部分を前記オフセット角で再び折り返す際にオフセット角に対応する頂点の位置にガイドマークＲを定義し、前記ガイドマークＱ，Ｒを前記紙面にしるしてミウラ折り用紙とする。【選択図】図１
0003176555.tif 000002
【実用新案登録請求の範囲】
【請求項１】
長方形の紙面において、該紙面を等幅の細長い長方形に折り畳まれた状態を短冊と呼び、該短冊をオフセット角をつけて折り返す位置のガイドマークＱ、折り返した短冊部分をオフセット角で再び折り返す位置のガイドマークＲを定義し、前記ガイドマークＱ，Ｒを前記紙面にしるしたミウラ折り用紙。
【請求項２】
長方形の紙面において、該紙面の辺に沿って直交座標（ｘ、ｙ）をとり、該紙面を等幅の細長い長方形に折り畳まれた状態を短冊と呼び、該用紙を短冊に折るためのガイドマークＰ（ｙ）、該短冊をオフセット角をつけて折り返すためのガイドマークＱ（ｘ、ｙ）、折り返した短冊部分を該オフセット角でさらに折り返す位置を示すガイドマークＲ（ｘ）またはＲ（ｙ）を定義し、前記ガイドマークＰ，Ｑ，Ｒを前記紙面にしるしたミウラ折り用紙。
【請求項３】
請求項１、および２記載のガイドマークＰ、Ｑ，Ｒを示すミウラ折りテンプレート。
【考案の詳細な説明】
【技術分野】
【０００１】本考案は、文書のミウラ折りに関するものである。さらに詳細には、一枚ものの文書をミウラ折り形状に折り畳むことを容易にするガイドマークのしるした用紙、および、用紙に該ガイドマークを記入するためのテンプレートに関するものである。
【背景技術】
【０００２】ミウラ折りは、パンフレットや地図などの一枚ものの文書を折り畳む形式として定着している。その特徴はこの種の大画面の文書をコンパクトに折り畳み、容易に開閉できて、一覧性を保ち、かつ折り目が破れにくいことの特性により、携帯・閲覧と保存に適した性質があるからである。しかし、問題は折りの技術にある。【０００３】商業的な大量に利用の場合、ミウラ折りは、印刷会社が二次元的ひろがりのある情報を印刷し、特殊折り専門の会社で折る、という形態で行われてきた。特殊折りの機械は、現状では速度がおそく、結果としてコストが高くなる。これが、ミウラ折りの普及の一つの障害となっている。【０００４】一方、ソーホーや個人による小量の利用の場合はどうだろうか。プリンターの普及で、印刷までは問題は存在しない。しかし、ミウラ折りにするための、市販の折り機のようなものは存在しない。一方手折りをすることは、なんとか可能であるが、一般の人が、使いやすい整った形状に折るのは困難である。結局は二つ折り、四つ折り、小冊子、など一覧性に欠ける旧来の形状で使用、保存せざるを得ない。【０００５】以上要するに、折る技術の制約によって、ミウラ折りの利用の普及には限界がある。しかし、普通の日本人なら体得している、ごく基本的な、折り紙の操作の能力を、これまでの手法は利用しきっていないのではないか。必要最小限のガイドマークを、コンテンツの中に忍ばせる手法を用いれば、簡単に、正確にミウラ折りを折る方法を支援することは、充分に可能と思われる。
【考案の開示】
【考案が解決しようとする課題】
【０００６】本考案の課題は、パンフレットや地図などの一枚ものの文書をミウラ折りに折り畳むため、必要最小限の情報を用紙上にしるした紙面を提供することにある。
【課題を解決するための手段】
【０００７】本考案は、請求項１に示されるように、長方形の紙面において、該紙面を等幅の細長い長方形に折り畳まれた状態を短冊と呼び、該短冊をオフセット角θをつけて折り返す位置のガイドマークＱ、折り返した短冊部分をオフセット角θで再び折り返す位置のガイドマークＲを定義し、前記ガイドマークＱ，Ｒを前記紙面にしるしたミウラ折り用紙を提供することにより解決している。【０００８】本考案は、請求項２に示されるように、長方形の紙面において、該紙面の辺に沿って直交座標（ｘ、ｙ）をとり、該紙面を等幅の細長い長方形に折り畳まれた状態を短冊と呼び、該用紙を短冊に折るためのガイドマークＰ（ｙ）、該短冊をオフセット角θをつけて折り返すためのガイドマークＱ（ｘ、ｙ）、折り返した短冊部分を該オフセット角θでさらに折り返す位置を示すガイドマークＲ（ｘ）またはＲ（ｙ）を定義し、前記ガイドマークＰ，Ｑ，Ｒを前記紙面にしるしたミウラ折り用紙を提供することにより解決している。【０００９】本考案は、請求項３に示されるように、請求項１および２記載のガイドマークＰ、Ｑ，Ｒを示すミウラ折りテンプレートを提供することにより解決している。
【考案の効果】
【００１０】本考案の第一の効果は、プリントした文書を、容易にかつ整ったミウラ折りに折る方策を、しかも紙面上にコンテンツに殆ど影響しないガイドマークとして忍ばせることで、提供することにある。そのために必要な操作は、或る点と或る点を合わせて折る、或る折り目に平行に折る、そして山折り谷折りを折り返すことの三種類である。これらの操作は、折り紙の技法ではごく普通のものである。【００１１】本考案の第二の効果は、上記のガイドマークをあらかじめしるした用紙を用いる、またコンテンツをプリントした後でガイドマークをしるす  、またコンテンツと同時にプリントする、の三つの方法で実行できることである。
【考案を実施するための最良の形態】
【実施例１】
【００１２】実施例１として、図１の平面図で、Ａ３サイズの用紙１（各辺を２、３、４、５とする）についての本考案を説明する。図１には、横置きのＡ３用紙を、横辺を五分割、縦辺を三分割に折るのに必要なガイドマークとして、３点の座標を用い、左上隅を（ｘ、ｙ）座標として、Ｐ（２１０、−９９），Ｑ（７５、−７５），Ｒ（１１８、−８８）が記載されている。なお、Ｐ（ｘ）、は任意であり、Ｒ（ｘ、ｙ）の一方は任意である。【００１３】折りの手順は、次のようである。Ｐ点のｙ座標（−９９）は、Ａ３用紙の縦の三分の一を示す。これを利用して、用紙を横三つ折りの短冊に折ると、結果として、表にＰ，Ｑ，Ｒが記された短冊が出来る（図２：折りのステップ１）。この場合、用紙は長方形なる情報が与えられているから、Ｐ点のガイドマークとしては、前記のようにｙ座標だけでも良いし、または相当する線でもよい。【００１４】次に、前記短冊の右下隅Ｓを点Ｑに合わせて、折る（図３：折りのステップ２）。この操作は、短冊をオフセット角θを付けて斜めに折り返したことになる。【００１５】こうして折られた短冊の部分７を、Ｒ点で折り返すが、このときその下縁２が、元の短冊の下縁の線２と平行になるようにする（図４：折りのステップ３）。この操作は、前記折り返した部分７を、前記オフセット角θでさらに折り返し、８にしたことになる。ここまでの操作で、基準となる平行四辺形９（一部点線で表示）が形成された。【００１６】次に、折り残された短冊の左部分１０を、前記平行四辺形の斜辺にあわせて、順次ジグザグに折り返す（図５：折りのステップ４）。そして折り目を充分にきつく折る。【００１７】次に、これを一旦開くと、図６のように（図１と比較して）、折り目が形成されたことがわかる。ここで、折り紙の標準様式に従って、一点鎖線は山折り、破線は谷折り記載されている。縦方向のジグザグの折り目の配列に注目すると、ミウラ折りの折り目の配列とは異なるので、部分的に折り返す必要がある。横の折り目は、現時点で無視する。【００１８】前記縦のジグザグの折り目について、中のゾーンを正しいとして、上下のゾーンの折り目を折り返して、これに合わせる（図７）。【００１９】このようにすると、用紙はミウラ折りに近づき、左右からこれを押し縮めると、横の折り目も適宜順応して、ミウラ折りに畳まれる（図８）。【００２０】前記実施例１の持つ意味を以下に説明する。ミウラ折りを折るために必要な事は、その山折り谷折りの分布が示された折図である（図７）。現実には、直接図示のように折ることは困難であるし、また折図は、紙面のコンテンツの邪魔になるから、現実的ではない。【００２１】全く、ガイドライン無しで、ミウラ折りを折る方法は、幾つか知られているが、折ることはできても、結果の文書が、利用できる程度に、整った形状であることは、なかなか難しい。【００２２】基本に立ち返ってみると、ミウラ折りのかたちの文書をつくるには、その用紙の適切な位置と方向に、一つの基本となる平行四辺形と形成し、それを併進、鏡映の操作を使って、全面に折り目をつけ、以後折り目の折り返しを作ることである。適切な位置とは、例えばこれをひらくための左右の縁が、つまみやすい程度に出ているこ��など、デザインに配慮されたものをいう。【００２３】平面上に一つの平行四辺形を決定するためには、理論的にはその頂点のうち三個の座標を決めればよい。それではその１つの平行四辺形の座標を紙面に記載すればよいかというと、そうではない。一つの紙面のなかに小さな一つの平行四辺形を描いても、それで全体を折るには、多くの誤差が生ずるであろう。そこで、実施例１では、平行四辺形の形成が、比較的長い線分、折り目で形成されるように配慮されている。【００２４】実施例１は、Ａ３判の一例であって、目的により、適宜変更することが出来る。またこれは、基本的には√２の用紙の数値であるから、他のサイズの√２用紙には、比例的に調整した数値を用いればよい。また、縦横比が異なる場合でも、本考案の原理に基づけば、容易に設計できる。
【実施例２】
【００２５】実施例２として、二万五千分の一地形図（柾判）について、説明する。柾判の用紙を横７、縦５分割に折るのに必要な３点の座標は、左上隅をＸ−Ｙ座標として、Ｐ（２９０、−９２），Ｑ（６７、−４２），Ｒ（２４３、−１３）である。この場合は、裏面を用いるので、注意を要する。【００２６】なお、ガイドマークは要するに座標の位置を示すことなので、多様な手法が採用できる。直接的な方法は、点の各種とか、線の組み合わせ、すかし、ピンホール、退色性インクなどがある。間接的な方法は、紙面の枠部分に座標を示して、コンテンツの影響を全く排除するものから、パズル的に設定することも可能である。
【図面の簡単な説明】
【００２７】
【図１】本考案の表示（平面図）
【図２】折りのステップ１（平面図）
【図３】折りのステップ２（平面図）
【図４】折りのステップ３（平面図）
【図５】折りのステップ４（平面図）
【図６】ここまでステップの折りを開く（平面図）
【図７】ミウラ折りの折り目の配列（平面図）
【図８】本考案によるミウラ折り完成図（平面図）
【符号の説明】
【００２８】１  用紙
２  用紙下辺
３  用紙右辺
４  用紙上辺
５  用紙左辺
６  短冊
７  短冊の第一の折り返し部分
８  短冊の第二の折り返し部分
９  形成された基本の平行四辺形
１０  短冊の左部分
Ｐ  短冊のガイドマーク
Ｑ  第一の折り返しのガイドマーク
Ｒ  第二の折り返しのガイドマーク
Ｓ  短冊のコーナー
ｘ，ｙ  直交座標
θ  オフセット角
点線：  参考線
一点鎖線：  山折り
破線：  谷折り
【図１】
0003176555.tif 000003
【図２】
0003176555.tif 000004
【図３】
0003176555.tif 000005
【図４】
0003176555.tif 000006
【図５】
0003176555.tif 000007
【図６】
0003176555.tif 000008
【図７】
0003176555.tif 000009
【図８】
0003176555.tif 000010
【手続補正書】
【提出日】平成24年4月5日(2012.4.5)
【手続補正１】
【補正対象書類名】実用新案登録請求の範囲
【補正対象項目名】全文
【補正方法】変更
【補正の内容】
【実用新案登録請求の範囲】
【請求項１】
長方形の紙面を紙面と等幅の細長い長方形に折り畳まれた状態を短冊と呼び、該短冊を所定のオフセット角をつけて折り返す際に元の短冊に重ねられた１つの頂点が乗る位置にガイドマークＱを、折り返した短冊部分を前記オフセット角で再び折り返す際にオフセット角に対応する頂点の位置にガイドマークＲを定義し、前記ガイドマークＱ，Ｒを前記紙面にしるしたことを特徴とするミウラ折り用紙。
【請求項２】
請求項１のミウラ折り用紙において、前記長方形の上辺から前記短冊の短辺と同じ長さ分だけ下方に、長方形の紙面を前記短冊状に折り畳むためのガイドマークＰをさらに前記紙面にしるしたことを特徴とするミウラ折り用紙。
【手続補正２】
【補正対象書類名】明細書
【補正対象項目名】０００７
【補正方法】変更
【補正の内容】
【０００７】本考案は、請求項１に示されるように、長方形の紙面を紙面と等幅の細長い長方形に折り畳まれた状態を短冊と呼び、該短冊を所定のオフセット角をつけて折り返す際に元の短冊に重ねられた１つの頂点が乗る位置にガイドマークＱを、折り返した短冊部分を前記オフセット角で再び折り返す際にオフセット角に対応する頂点の位置にガイドマークＲを定義し、前記ガイドマークＱ，Ｒを前記紙面にしるしたことを特徴とするミウラ折り用紙を提供することにより解決している。
【手続補正３】
【補正対象書類名】明細書
【補正対象項目名】０００８
【補正方法】変更
【補正の内容】
【０００８】本考案は、請求項２に示されるように、前記長方形の上辺から前記短冊の短辺と同じ長さ分だけ下方に、長方形の紙面を前記短冊状に折り畳むためのガイドマークＰをさらに前記紙面にしるしたことを特徴とするミウラ折り用紙を提供することにより解決している。
【手続補正４】
【補正対象書類名】明細書
【補正対象項目名】０００９
【補正方法】削除
【補正の内容】